Podtech/llm-jp-corpus-v4-ja_patent huggingface dataset:
(57)【要約】【課題】酸化チタンをコーティングしないで手間を掛けずに製造可能な光触媒作用を有する陶磁製食器を提供する。【解決手段】素焼きされた茶碗、大皿、小皿、茶碗、汁椀、どんぶり等の食器の形状をした陶磁製の成型品１の表面に、光触媒作用を有する酸化チタンを含む釉薬２が施釉されて焼成により釉薬層が形成されている陶磁製食器である。酸化チタンの添加割合は、質量比で釉薬に対して０．５〜３０％にする。【選択図】図１
0003179738.tif 000002
【実用新案登録請求の範囲】
【請求項１】
素焼きされた食器の形状をした陶磁製の成型品の表面に光触媒作用を有する酸化チタンを含む釉薬が施釉されて焼成により釉薬層が形成されていることを特徴とする陶磁製食器。
【考案の詳細な説明】
【技術分野】
【０００１】
本考案は、光触媒作用を有する陶磁製食器に関する。
【背景技術】
【０００２】
従来、陶磁製食器に抗菌性を付与する手段として、陶磁製食器の表面に光触媒をコーティングすることが知られている。
【０００３】
酸化チタンは光触媒機能を有し、光触媒反応は、光エネルギーを受けることによって励起して触媒作用を起こし、表面を殺菌し、表面に付着した汚れ、臭いが強力に分解、除去されることになる。光エネルギーが自然光、蛍光灯の微弱な光の場合（１ミリワット／ｃｍ2 以下のレベル）であっても、十分に汚れ、臭い等を分解することができる。しかも、酸化反応によって抗菌作用を発揮することができる。
【０００４】
例えば、特許文献1には、食器の内外面に酸化チタンの薄膜を形成し、その薄膜に照明灯や太陽光などの自然光を照射させればその光エネルギーを得て酸化チタンの薄膜から活性酸素が発生し、この活性酸素の働きで殺菌防菌防黴の作用が発生することが記載されている。
【０００５】
また、引用文献２に、表面に釉薬層を形成した陶磁器製の食器について、前記釉薬層に光触媒粒子からなる表面層または光触媒粒子を含む表面層が形成され、この表面層が、その一部が釉薬層に入り込むように保持されている食器が記載されている。
【先行技術文献】
【特許文献】
【０００６】
【特許文献１】実用新案登録第３０７０４６５号公報
【特許文献２】特開平９−１８７３５９号公報
【考案の概要】
【考案が解決しようとする課題】
【０００７】
一般に、陶磁製食器は、原材料の陶土あるいは磁土の処理工程、食器の形にする成形工程、成型品の乾燥、素焼工程を経た後に釉薬を塗布して施釉され、さらに本焼を行って製造されている。
【０００８】
しかしながら、前記特許文献２に記載された食器では、本焼をした後に、釉薬層の表面にさらに光触媒を形成する工程が必要となる。そのため、工程が増えるだけでなく手間がかかるという問題がある。
【０００９】
そこで、本考案は、酸化チタンをコーティングしないで手間を掛けずに製造可能な光触媒作用を有する陶磁製食器を提供するものである。
【課題を解決するための手段】
【００１０】
本考案は、素焼きされた食器の形状をした陶磁製の成型品の表面に光触媒作用を有する酸化チタンを含む釉薬が施釉されて焼成により釉薬層が形成されていることを特徴とする陶磁製食器である。
【考案の効果】
【００１１】
本考案による陶磁製食器は、釉薬に酸化チタンを添加混合し、成型品に施釉して焼成するので、釉薬層の表面にさらに酸化チタンをコーティングする工程を省くことにより手間を掛けずに製造することが可能となる。
【図面の簡単な説明】
【００１２】
【図１】本考案の酸化チタン含有釉薬を施釉した茶碗の例を示す断面図である。
【考案を実施するための形態】
【００１３】
陶磁製食器としては、茶碗、大皿、小皿、茶碗、汁椀、どんぶり等を挙げることができる。本考案の陶磁製食器は、図1に示すように、素焼陶磁器１の表面に酸化チタンを含有する釉薬２が施釉されて焼成により釉薬層が形成されている。
【００１４】
素焼陶磁器は、従来の陶磁器の製造方法と同じく、原材料の陶土あるいは磁土の処理工程、食器の形に成形する成形工程、成型品を乾燥する乾燥工程、素焼工程を経た後、成形品を素焼して製造される。
【００１５】
通常の陶磁製食器の製造では、成型品の素焼後に釉薬が塗布されて施釉され、さらに本焼が行われるが、本考案では、施釉には酸化チタンを添加混合した釉薬を使用する点で従来の陶磁製食器と異なる。
【００１６】
本考案では、使用する釉薬は限定されるものではなく、従来から使用されている灰釉、長石釉、石灰釉等の釉薬を使用することができ、例えば、強熱減量（ｌｇ．ｌｏｓｓ）、二酸化けい素（ＳｉＯ２）、酸化アルミニウム（Ａｌ２Ｏ３）、  酸化第二鉄（Ｆｅ２Ｏ３）、二酸化チタン（ＴｉＯ２）、酸化カルシウム（ＣａＯ）、酸化マグネシウム（ＭｇＯ）、酸化ナトリウム（Ｎａ２Ｏ）、酸化カリウム（Ｋ２Ｏ）を含有する石灰釉などを使用することができる。
【００１７】
釉薬に添加混合する酸化チタンは、粉末あるいは粒子の状態で混合する。混合割合は、質量比で釉薬に対して０．５〜３０％にする。
【００１８】
<試験例＞
使用する釉薬の組成は次のとおりである。                                                    
強熱減量（ｌｇ．ｌｏｓｓ）、二酸化けい素（Ｓｉｏ２）、酸化アルミニウム（Ａｌ２Ｏ３）、  酸化第二鉄（Ｆｅ２Ｏ３）、二酸化チタン（ＴｉＯ２）、酸化カルシウム（ＣａＯ）、酸化マグネシウム（ＭｇＯ）、酸化ナトリウム（Ｎａ２Ｏ）、酸化カリウム（Ｋ２Ｏ）を含有する石灰釉を用いる。
【００１９】
次いで、釉薬に、酸化チタン粉末を釉薬に対して０．５質量％、１．０質量％、２．０質量％、５．０質量％、１０質量％、２０質量％、３０質量％の範囲で添加混合した。
【００２０】
得られた酸化チタン粉末を含有する釉薬を塗布した後、１２９２℃で焼成して釉薬層を形成したサンプルを用意した。
【００２１】
各サンプルに大腸菌懸濁液を滴下し、紫外線ランプで紫外線を紫外線強度６３０μ／ｃｍ２で６時間照射して光触媒反応をさせたのち、サンプルから洗浄水を用いて培地へ洗い出し、３日間培養して光触媒の抗菌試験を行った。
【００２２】
試験の結果、各サンプルとも抗菌活性がみられた。
【符号の説明】
【００２３】
１：素焼陶磁器
２：酸化チタン粉末を含有する釉薬
【図１】
0003179738.tif 000003
(57)【要約】【課題】優れた切れ味と耐久性とを兼ね備えた草刈機用の刈刃を提供する。【解決手段】複数の突出部３が、円盤状の基板２の外周縁に沿って、所定の間隔で外側に向かって突出して鋸歯状に形成されている。耐摩耗性および耐衝撃性に優れたチップ４が、尖った先端部４ａを有し、各突出部３の回転方向に向いた側縁３ｂの先端側にそれぞれ取り付けられている。各突出部３および各チップ４の回転方向に向いた側縁３ｂ、４ｂに鋭利な刃先を有している。【選択図】図１
0003179767.tif 000002
【実用新案登録請求の範囲】
【請求項１】
円盤状を成し、草刈機に取り付けて回転させて草を刈るための草刈機用の刈刃であって、
円盤状の基板の外周縁に沿って所定の間隔で設けられ、外側に向かって突出した複数の突出部と、
各突出部の回転方向に向いた側縁の先端側にそれぞれ取り付けられたチップとを有し、
各突出部および各チップの回転方向に向いた側縁に刃先を有することを
特徴とする草刈機用の刈刃。
【考案の詳細な説明】
【技術分野】
【０００１】
本考案は、草刈機用の刈刃に関する。
【背景技術】
【０００２】
従来、円盤状を成し回転させて草を刈る草刈機用の刈刃として、円盤状の基板の外周縁に沿って鋸歯状の刃部を有するもの（例えば、特許文献１参照）や、円盤状の基板の外周縁に沿って、所定の間隔で外側に向かって突出した複数の突出部の先端に、それぞれチップを取り付けたチップソー（例えば、特許文献２参照）が、一般的に使用されている。
【先行技術文献】
【特許文献】
【０００３】
【特許文献１】特開２０００−１３９１５９号公報
【特許文献２】実用新案登録第３０５３６５９号公報
【考案の概要】
【考案が解決しようとする課題】
【０００４】
しかしながら、特許文献１に記載のような鋸歯状の刃部を有するものは、優れた切れ味を有しているが、草刈り時に石などの硬いものに当たると刃部が欠けて切れ味が落ち、すぐに使えなくなってしまうという課題があった。また、特許文献２に記載のようなチップソーは、石に当たっても欠けにくく、耐久性を有しているが、刃部が欠けていない鋸歯状のものと比べて、切れ味が劣るという課題があった。
【０００５】
本考案は、このような課題に着目してなされたもので、優れた切れ味と耐久性とを兼ね備えた草刈機用の刈刃を提供することを目的とする。
【課題を解決するための手段】
【０００６】
上記目的を達成するために、本考案に係る草刈機用の刈刃は、円盤状を成し、草刈機に取り付けて回転させて草を刈るための草刈機用の刈刃であって、円盤状の基板の外周縁に沿って所定の間隔で設けられ、外側に向かって突出した複数の突出部と、各突出部の回転方向に向いた側縁の先端側にそれぞれ取り付けられたチップとを有し、各突出部および各チップの回転方向に向いた側縁に刃先を有することをを特徴とする。
【０００７】
本考案に係る草刈機用の刈刃は、各突出部の回転方向に向いた側縁の先端側にチップが取り付けられているため、草刈り時に石などの硬いものに当たっても欠けにくく、切れ味が低下せず、優れた耐久性を有している。また、各突出部および各チップの回転方向に向いた側縁に刃先を有するため、優れた切れ味を有している。例えば、従来のチップソーでは刈りにくかった蔓草なども、容易に刈り取ることができる。このように、本考案に係る草刈機用の刈刃は、優れた切れ味と耐久性とを兼ね備えている。なお、各チップは、耐摩耗性および耐衝撃性に優れた素材から成ることが好ましい。
【考案の効果】
【０００８】
本考案によれば、優れた切れ味と耐久性とを兼ね備えた草刈機用の刈刃を提供することができる。
【図面の簡単な説明】
【０００９】
【図１】本考案の実施の形態の草刈機用の刈刃を示す（ａ）平面図、（ｂ）突出部の拡大平面図である。
【考案を実施するための形態】
【００１０】
以下、図面に基づき本考案の実施の形態について説明する。
図１は、本考案の実施の形態の草刈機用の刈刃を示している。
図１に示すように、草刈機用の刈刃１は、円盤状を成し、草刈機に取り付けて回転させて草を刈るよう構成されており、基板２と複数の突出部３と複数のチップ４とを有している。
【００１１】
基板２は、高強度の炭素鋼製で、薄い円盤状を成している。基板２は、中央に草刈機に固定するための固定孔２ａを有している。
【００１２】
複数の突出部３は、円盤状の基板２の外周縁に沿って所定の間隔で設けられている。各突出部３は、鋸歯状に形成され、基板２の外側に向かって突出している。各突出部３は、外縁が滑らかな曲線状を成した三角形状を成している。各突出部３は、頂部３ａが回転方向寄りに形成されており、基板２の側縁に対し、回転方向に向いた側縁３ｂが垂直に近い角度で傾斜し、反対側の側縁３ｃが緩い角度で傾斜するよう形成されている。各突出部３は、回転方向とは反対側の側縁３ｃが、頂部３ａから隣の突出部３に向かってやや緩い角度から徐々に急な角度になるよう傾斜している。
【００１３】
複数のチップ４は、耐摩耗性および耐衝撃性に優れた鋳鉄製で、基板２とほぼ同じ厚みで細長く形成されている。各チップ４は、尖った先端部４ａを有し、それぞれ各突出部３の頂部３ａに固定されている。各チップ４は、先端部４ａが、各突出部３の回転方向に向いた側縁３ｂの先端側に露出するよう取り付けられている。
【００１４】
図１（ｂ）に示すように、草刈機用の刈刃１は、各突出部３および各チップ４の回転方向に向いた側縁３ｂ、４ｂに刃先を有している。各刃先は、側縁３ｂ、４ｂの一方の面側を斜めに研削することにより、鋭利な刃状に形成されている。
【００１５】
なお、図１に示す具体的な一例では、基板２は、直径が２３ｃｍである。突出部３は、４０個設けられ、基板２の側縁から頂部２ａまでの突出量が約１．３ｃｍである。また、突出部３は、隣り合う頂部２ａの間の窪みの深さが約９ｍｍである。
【００１６】
次に、作用について説明する。
草刈機用の刈刃１は、各突出部３の回転方向に向いた側縁３ｂの先端側に露出するよう、耐摩耗性および耐衝撃性に優れたチップ４が取り付けられているため、草刈り時に石などの硬いものに当たっても欠けにくく、切れ味が低下せず、優れた耐久性を有している。また、各突出部３および各チップ４の回転方向に向いた側縁３ｂ、４ｂに鋭利な刃先を有するため、優れた切れ味を有している。例えば、従来のチップソーでは刈りにくかった蔓草なども、容易に刈り取ることができる。このように、草刈機用の刈刃１は、優れた切れ味と耐久性とを兼ね備えている。
【符号の説明】
【００１７】
１  草刈機用の刈刃
２  基板
２ａ  固定孔
３  突出部
３ａ  頂部
３ｂ  回転方向に向いた側縁
３ｃ  （回転方向とは）反対側の側縁
４  チップ
４ａ  先端部
４ｂ  回転方向に向いた側縁
【図１】
0003179767.tif 000003
(57)【要約】      （修正有）【課題】紫外線からの顔面、両耳全体、首全体の日焼けを防止し、運動時、作業時でも装着の違和感の少ない日焼け防止フェイスマスクを提供する。【解決手段】ＵＶカット加工生地を下唇真下から両頬、両耳、首外周全体を覆う部分と両下瞼より下方の鼻及び口の開口部を覆う部分とに裁断され、両目尻の位置で縫合された本体部に、前記本体部を展開した左右上部両端に縫合された耳掛け部の丸ゴムと、前記本体部を首の後ろで結合させるための左右両最端部に縫合されたスナップから成る。前記本体部を装着することで両下瞼から両耳上部に沿った位置より下方の顔面及び首外周を覆うことで紫外線からの日焼けを防止し、又、鼻孔及び口に位置する部分の内側が前記部位に接触することなく空間が確保されており呼吸が阻害されず、又、口に位置する部分をめくり上げることにより装着時でも飲食を可能にする。【選択図】図１
0003179674.tif 000002
【実用新案登録請求の範囲】
【請求項１】
ＵＶカット加工生地を図６のように縫製された形状から成り、目から下の部分、鼻全体、両耳全体、両頬全体、顎全体、首の外周全体を紫外線からの日焼けを防止し、マスク内の口周辺の空間を図３のように広くすることで、圧迫感なく装着でき、飲食もでき、夏場のスポーツや作業でも楽に使用できることを特徴とする日焼け防止フェイスマスク。
【請求項２】
装着時、両耳に丸ゴムをかける部分の取り付けを図６のようにすることで、両耳全体を覆うことを可能にした請求項１に記載の日焼け防止フェイスマスク。
【請求項３】
図６のようにスナップで首の後ろでとめることで、首全体の日焼け防止も可能にした請求項１または請求項２に記載の日焼け防止フェイスマスク。
【考案の詳細な説明】
【技術分野】
【０００１】  本考案は屋外での紫外線からの日焼けを防ぐフェイスマスクに関するものである。
【背景技術】
【０００２】  従来の発明あるいは考案された日焼け防止マスクは、使用環境によって十分な効果があるとは言えずその部分を補う必要があった。【０００３】  顎下の首部分、後頭部の首部分、両耳全体部分の日焼け防止がなされていない。（例えば特許文献１、特許文献２参照）【０００４】  屋外での使用時、風により、めくれ上がる。（例えば特許文献３参照）
【先行技術文献】
【特許文献】
【０００５】
【特許文献１】  特開２００９−２４７８４１号公報図２
【特許文献２】  実用新案第３１５４５４５号図５
【特許文献３】  特開２０１１−２４４９０７号公報図２
【考案の概要】
【考案が解決しようとする課題】
【０００６】  本考案の課題は紫外線からの顔面、両耳全体、首全体の日焼けを防止し、運動時、作業時でも装着の違和感の少ない日焼け防止フェイスマスクを提供することにある。
【課題を解決するための手段】
【０００７】  目の下から顔面、首、両耳全体を紫外線から守り覆える面積を有し、なおかつ、従来の日焼け防止マスクよりも鼻から口にかけてのマスク内側の空間を広げることで、運動時でも楽に呼吸ができ、また装着したまま飲食も楽にできる構造を有する日焼け防止フェイスマスクである。
【考案の効果】
【０００８】  本考案により従来の日焼け防止マスクの不完全な部分を全て補うことに成功した。
【図面の簡単な説明】
【０００９】
【図１】  本考案の実施形態に係る装着時側面図
【図２】  本考案の実施形態に係る装着時正面図
【図３】  本考案の実施形態に係る装着時、口元を開放した時の側面図
【図４】  本考案の鼻から口を覆う部分
【図５】  本考案の顎より顔面の両頬、両耳、首全体を覆う部分
【図６】  本考案の日焼け防止フェイスマスクを内側から見た展開図
【考案を実施するための形態】
【００１０】  日焼け防止フェイスマスクを図４、図５からなるＵＶカット加工生地で構成し図６ｆで縫製することで、図３の形状にも変化し装着したままの飲食も可能にした。
【００１１】  図６の展開図のように装着は両耳に丸ゴムｃで引っ掛ける構造とし、丸ゴムｃの片側をバイアステープｄで取り付け反対側をｂの部分を手前に折り返してａで取り付けることで図１の装着側面図のように両耳全体をマスクで覆うことを可能にした。
【００１２】  図６のｅにスナップを取り付けて図１の装着側面図ように首の後ろで止めることで、屋外での運動時でも風にあおられない形状とし、またこれにより首まわりの日焼け防止も可能にした。
【００１３】  図４、図５から構成されたＵＶカット加工生地の外周部はバイアステープの取り付けや三つ折り縫いとはせず装着時の硬さ、肌に対する違和感を軽減する為、ステッチ縫いとし、軽くて心地よい肌ざわりとした。
【符号の説明】
【００１４】  ａ  丸ゴムｄの取り付け位置
ｂ  内側への折り返し部分
ｃ  丸ゴム
ｄ  バイアステープ
ｅ  スナップ
ｆ  図４、図５から成る生地の縫製位置
【図１】
0003179674.tif 000003
【図２】
0003179674.tif 000004
【図３】
0003179674.tif 000005
【図４】
0003179674.tif 000006
【図５】
0003179674.tif 000007
【図６】
0003179674.tif 000008
【手続補正書】
【提出日】平成24年8月22日(2012.8.22)
【手続補正１】
【補正対象書類名】実用新案登録請求の範囲
【補正対象項目名】全文
【補正方法】変更
【補正の内容】
【実用新案登録請求の範囲】
【請求項１】
ＵＶカット加工生地を下唇真下から両頬、両耳、首外周全体を覆う部分と両下瞼より下方の鼻及び口の開口部を覆う部分とに裁断され、両目尻の位置で縫合された本体部に、前記本体部を展開した左右上部両端に縫合された耳掛け部の丸ゴムと、前記本体部を首の後ろで結合させるための左右両最端部に縫合されたスナップから成り、前記本体部を装着することで両下瞼から両耳上部に沿った位置より下方の顔面及び首外周を覆うことで紫外線からの日焼けを防止し、又、鼻孔及び口に位置する部分の内側が前記部位に接触することなく空間が確保されており呼吸が阻害されず、又、口に位置する部分をめくり上げることにより装着時でも飲食を可能にしたことを特徴とする日焼け防止フェイスマスク。
(57)【要約】      （修正有）【課題】譜面を捲るときに小物棚が落下することが皆無で、かつ、譜面をめくるときに譜面が傷むことのない、携帯可能な小物棚を提供する。【解決手段】小物棚４は、譜面台１の譜面載置部縦板３へ、譜面台の後方上部から、ほぼ垂直方向へ落とし込んで嵌め込み、譜面台に垂れ下げるように取り付けることを特徴としている。こうすることにより、譜面載置部横板２には小物棚の一部が載らずにすむので、譜面を捲るときに、小物棚の落下、譜面の損傷などの問題が発生しないで済む。また、譜面台をたたんで持ち運ぶときには、小物棚を取り外し、小物棚単体を携帯することもできる。【選択図】図１
0003179672.tif 000002
【実用新案登録請求の範囲】
【請求項１】
譜面台の譜面載置部の縦板に、譜面台の後方上部から、ほぼ垂直方向へずらして嵌め込んで譜面台に固定することを特徴とする、取り外し可能な譜面台用小物棚。
【考案の詳細な説明】
【技術分野】
【０００１】  本発明は、合奏、合唱、音楽の個人練習時に必要となる小物（筆記用具、チューニングメータ、電子メトロノーム、小型録音機、楽器の部品など）を置くための、譜面台に固定可能で、かつ、取り外して携帯可能な、譜面台用小物棚（以下「小物棚」と略記する）に関するものである。
【背景技術】
【０００２】  従来の小物棚には、譜面を捲るときに、譜面下部が破れたり傷んだりする、譜面を捲るときに、譜面下部によって小物棚が前方へ押され落下する、大型で持ち運びに不便、などの欠点があった。
【先行技術文献】
【特許文献】
【０００３】
【特許文献１】特開２００２−３２８６７５号公報
【特許文献２】特開２００６−１３０２４５号公報
【考案の概要】
【考案が解決しようとする課題】
【０００４】  特許文献１の小物棚１１を図６に示す。この小物棚１１は、小物棚を譜面載置部横板２へ、譜面台の前方からほぼ水平方向へずらして、嵌め込むことにより固定するものであるが、譜面捲りのときに、譜面が小物棚１１に引っかかり、譜面が破れたり、譜面の下部が傷んだりする欠点があった。また、譜面を捲るときに、譜面によって小物棚１１が前方へ押されて、譜面載置部横板２から小物棚１１が前方へ外れ、小物棚１１が落下することもあるという欠点があった。
特許文献２の小物棚１２を図７に示す。この小物棚１２は、落下することはないが、譜面捲りのときに、譜面が小物棚１２に引っかかり、譜面が破れたり、譜面の下部が傷んだりする欠点があった。
【課題を解決するための手段】
【０００５】  本発明の小物棚４の基本形状を図１と図２に示す。図１は、小物棚４を譜面台１に取り付けた図、図２は小物棚４の本体である。
この小物棚４は、譜面台１の譜面載置部横板２の後ろにある譜面載置部縦板３に譜面台の後方上部から、ほぼ垂直方向へ落とし込んで嵌め込み、譜面台に垂れ下げるように取り付けることを特徴としている。こうすることにより、譜面載置部横板２には小物棚の一部が載らずにすむので、譜面を捲るときに、小物棚の落下、譜面の損傷などの問題が発生しないで済む。また、譜面台をたたんで持ち運ぶときには、小物棚を取り外し、小物棚単体を楽器ケースなどに入れて、携帯することもできる。
図２において、５は譜面台の譜面載置部縦板への固定部、６は小物棚の縦板、７は小物棚の小物を置く横板である。
図３は、本発明の小物棚に、小物の落下を防止するための枠８や、小物を置く部分に仕切り９を設置した例である。
図４は、落下防止枠が無い小物棚に於いて、小物棚を携帯しやすいように、小物棚を折りたためるようにする機構１０を付加した例である。
【考案の効果】
【０００６】  譜面を捲るときに小物棚が落下することが皆無で、かつ、譜面をめくるときに譜面が傷むことのない、携帯可能な小物棚を提供できる。
【図面の簡単な説明】
【０００７】
【図１】本発明の小物棚を譜面台に取り付けた図。
【図２】本発明の小物棚の詳細図。
【図３】本発明の小物棚に小物落下防止枠、内部仕切りを付加した図。
【図４】本発明の小物棚を折りたたみ可能な構造とした図。
【図５】図４の小物棚を折りたたんだ図。
【図６】特許文献１の小物棚。
【図７】特許文献２の小物棚。
【図１】
0003179672.tif 000003
【図２】
0003179672.tif 000004
【図３】
0003179672.tif 000005
【図４】
0003179672.tif 000006
【図５】
0003179672.tif 000007
【図６】
0003179672.tif 000008
【図７】
0003179672.tif 000009
【手続補正書】
【提出日】平成24年8月22日(2012.8.22)
【手続補正１】
【補正対象書類名】実用新案登録請求の範囲
【補正対象項目名】全文
【補正方法】変更
【補正の内容】
【実用新案登録請求の範囲】
【請求項１】
譜面台の譜面載置部の縦板へ、譜面台の後方上部から小物棚をひっかけるように固定する固定部と、当該固定部に折り曲がるようにつながって譜面載置部縦板を挟み込む小物棚縦板と、小物棚縦板の下部をほぼ直角方向前方へ折り曲げて形成される小物を置く横板、または、小物棚縦板の下部にとりつけた蝶番により小物棚縦板に対しほぼ直角に前方へ連結される小物を置く横板、により構成される、取り外し可能な譜面台用小物棚。
(57)【要約】      （修正有）【課題】駒板がまな板に沿ってスムーズに平行移動することによって初心者でも最後まで、蕎麦やうどんを一定の幅に切断することができ、また、一定の長さと厚さを保持できる麺切り具を提供する。【解決手段】四角形状の木板４の上面先端部に角材５で形成された当て木と、前記木板４の下面一側部に脚部６を設けて駒板２を構成し、一方、まな板１の一側部にガイド溝７を形成して、前記の脚部６をこのガイド溝７にそって移動自在に構成した麺切り具であって、特に駒板２の下面には前記脚部６と平行に複数の段差板８を設けて平行移動をスムーズにならしめたものである。【選択図】図１
0003179680.tif 000002
【実用新案登録請求の範囲】
【請求項１】
四角形状の木板の上面先端部に角材で形成された当て木と、前記木板の下面一側部に脚部を設けて駒板を構成し、一方、まな板の一側部にガイド溝を形成して、前記の脚部をこのガイド溝に沿って移動自在に構成したことを特徴とした麺切り具
【請求項２】
駒板の下面には前記脚部と平行に複数の段差板を設けてなる請求項１記載の麺切り具
【考案の詳細な説明】
【技術分野】
【０００１】  本考案はそばやうどんなどの麺を一定の幅に切断できる麺切り具に関するものである。
【背景技術】
【０００２】  一般に、手打ちそばを作る時は、そば粉を水で練って、麺棒で薄くのばし、その生地を長方形にして折り重ね、この重ねた生地を、まな板の上に載せて包丁で所定の幅に細く切断している。このそば切りはまな板の上に重ねた生地の上から駒板で押さえながら駒板の先端に包丁を当てその包丁の側面で、駒板をずらして順次切断していた。しかしながら切り進むにつれて切り位置が変わるため、斜め切りになったり駒板の押さえの力の強弱等で駒板がぶれたりして、切り幅にばらつきが生じていた。
また、まな板で、上から押さえているために生地の折りたたんだ角の部分が押しつぶされて切れ易くなる等の問題が生じていた。
これらの改良技術として、駒板の木板の底面の両側に脚部を逆凹形状に形成して、これにまな板を跨がせて両側の溝に挿入したものがある（特許文献１）。この従来技術だと、脚部と溝の接触部が多く、まさつが生じてスムーズな後退移動ができなかった。
【先行技術文献】
【特許文献】
【０００３】
【特許文献１】実用新案登録第３１５４８８７号
【考案の概要】
【考案が解決しようとする課題】
【０００４】    本考案は上記の問題点を改善し、駒板がまな板に沿ってスムーズに平行移動すること    によって初心者でも最後まで、蕎麦やうどんを一定の幅に切断することができ、また    、一定の長さを保持できる麺切り具を提供するものである。
【課題を解決するための手段】
【０００５】  本考案は前記した技術課題を解決するために請求項１に記載した四角形状の木板の上面先端部に角材で形成された当て木と、前記木板の下面一側部に脚部を設けて駒板を構成し、一方、まな板の一側部にガイド溝を形成して、前記の脚部をこのガイド溝に沿って移動自在に構成したことを特徴とした麺切り具である。
また、請求項２に記載した駒板の下面には前記脚部と平行に複数の段差板を設けてなる請求項１記載の麺切り具である。
【考案の効果】
【０００６】以上のような麺切り具の構成としたので、駒板がまな板に沿ってスムーズに平行移動して初心者でも最後まで、蕎麦やうどんを一定の幅に切断することができ、また、一定の長さを保持できて、便利である。
【図面の簡単な説明】
【０００７】
【図１】  本考案を実施した斜視図である
【図２】  本考案を実施した側面図である
【図３】  駒板の裏面斜視図である。
【図４】  その他のガイド溝断面図
【考案を実施するための形態】
【０００８】本考案は、四角形状の木板の上面先端部に角材で形成された当て木と、前記木板の下面一側部に脚部を設けて駒板を構成し、一方、まな板の一側部にガイド溝を形成して、前記の脚部をこのガイド溝に沿って移動自在に構成した麺切り具であって、特に駒板の下面には前記脚部と平行に複数の段差板を設けて平行移動をスムーズにならしめたものである。
【実施例】
【０００９】  実施した図面に基づいて構成を説明する。
図１、図２、および図３に示した１はまな板を示し、２は駒板である。駒板２は四角形状の厚さ１０ｍｍ程度の木板４の上面先端部に角材５を一体接合してなる。角材５は片手でグリップしやすい程度の大きさに設定される。６は脚部を示し、木板４の下面の一側部に突出して設けられている。また、駒板２の下面には前記した脚部６と平行状に生地の幅よりせまく、厚さ２ｍｍ程度の段差板８が複数個接合されている。本実施例では生地幅の３分の１程度の狭さに形成して２枚接合している。
１のまな板の上面の一側部にはガイド溝７が設けられて、前記した駒板の設けた脚部６が移動自在に形成されている。図４はガイド溝のその他の実施例を示して、溝断面は逆さくさび状をなして上端が細く下端が末広がりに形成されている。本実施例において逆さ溝７は既存の木工用の専用溝切り具が使用される。前記の脚部６が逆さくさび状の断面のガイド溝７を移動する際は脚部の側面全体が滑動することなく上部細幅部のみの小さな摩擦抵抗で済む。
次にそば、うどんの切断作業の説明をする。
１のまな板に生地３を載せて、この生地３の上面に脚部６の付いた駒板を搭載して、脚部６は前記したガイド溝に挿入してセットする。次に駒板２の前端に包丁を垂直に当てて、切断する。このときに駒板がガイド溝に沿って円滑に平行移動することによって一定幅に切断される。ガイド溝が逆さくさび状に形成した場合は脚部の移動摩擦も軽く、振れ幅も小さく切り幅も一体となる。さらに特に脚部が一側部にあることと、段差板が生地との接触面積を少なくするため、摩擦抵抗が少なく平行移動がスムーズになる。また、駒板の下面に段差板を設けたので、生地と駒板の間に適度な隙間ができて、折りたたんだ生地の角が潰れることがなく、所定の長さに切断できる。
【産業上の利用可能性】
【００１０】  本発明によって、蕎麦やうどんの加工切断が初心者でも正確できるようになり一般の家庭にも普及されるものとなり、蕎麦やうどんの消費拡大にも貢献される。
【符号の説明】
【００１１】１  まな板
２  駒板
３  生地
４  木板
５  角材
６  脚部
７  ガイド溝
８  段差板
【図１】
0003179680.tif 000003
【図２】
0003179680.tif 000004
【図３】
0003179680.tif 000005
【図４】
0003179680.tif 000006
(57)【要約】      （修正有）【課題】スカートの外観を損なわずにめくれを防止するスカートめくれ防止装置を提供する。【解決手段】固定装置６で固定され、スカートが自然に揺れるがめくれない程度の長さに調節したテープ２に連結した接着装置１ａとスカートに固定した接着装置の引き合う力を利用して、テープ２でスカートを抑え、スカートの風力などによるめくれを防止する。【選択図】図１
0003179679.tif 000002
【実用新案登録請求の範囲】
【請求項１】
テープの一方に、体の一部と接合する物に固定出来る固定装置を設け、他方にスカートに取り付けた接着装置と、引き合う接着装置を設け、スカートが自然に揺れる動きを抑える事なく、風などでめくれないようにしたところを特徴とするスカートめくれ防止装置
【請求項２】
テープの一方に、乗り物に取り付けられる固定装置を設け、他方にスカートに取りけた接着装置と引き合う接着装置を設け、スカートが風などでめくれないようにしたところを特徴とするスカートめくれ防止装置
【考案の詳細な説明】
【技術分野】
【０００１】本考案は風などの力によってスカートがめくれないようにする為のものである。
【背景技術】
【０００２】従来のめくれないスカートには、「めくれ防止機能付きスカート」がある。（実用新案登録第３１２６０００号）
以下、従来の「めくれ防止機能付きスカート」について説明する。
従来のめくれ防止では、スカート本体に６本のゴムバンドを装着しそれを、ふとももに巻きつけたゴムバンドに一つずつ巻き付ける。【０００３】しかし、スカート本体にゴムバンドを装着すると、使用時の外観が損なわれる。
ゴムバンドを一つずつ太もも部分に巻きつけるのは手間がかかる。などの欠点があった。
【先行技術文献】
【特許文献】
【０００４】
【特許文献１】実用新案登録第３１２６０００号（Ｕ３１２６０００）
【考案の概要】
【考案が解決しようとする課題】
【０００５】強い風や、電車の風力などでスカートがめくれてしまうと、恥ずかしい思いをする。又用心の為スカートの着用を控える場合もあり不便である。
さらに、自転車などに乗ると風の影響を受けやすく、スカートで自転車に乗らなければならない女子高生などにとっては、スカートのめくれは深刻な問題である。従ってマジックテープ、ボタン、磁石など接着する物を利用してスカートをめくれないようにし前途の欠点を解決するものである。
【課題を解決するための手段】
【０００６】本考案は、スカートの外観を損なわずにスカートのめくれ防止を可能にするため、腰ベルトから下がるリングベルトに固定したテープに設けた接着装置と、スカートに取り付けた接着装置がお互いに引き合って風などの力が加わってもスカートがめくれないようにして前述の欠点を解決しようとするものである。
【考案の効果】
【０００７】めくれを気にせず、スカートをはける。さらにめくれを気にせずスカートで自転車、単車に乗れる。
【図面の簡単な説明】
【０００８】
【図１】移動範囲を制限された、自由に動く接着装置の正面図である。
【図２】移動範囲を制限された、自由に動く接着装置を付けたリングベルトの平面図である。
【図３】本考案の実施例１を示す一部断面図である。
【図４】本考案の実施例２を示す一部背面図である。
【考案を実施するための形態】
【０００９】スカートの裾裏に固定した接着装置と、固定され、かつ、制限された範囲で自由に動く接着装置が結合すると、スカートの裾も、制限された範囲しか移動出来ずめくれを防止出来る。
【実施例１】
【００１０】以下、添付図面に従って実施例１を説明する。スカート４の裾の裏に固定した接着装置１ｂと腰から下がるリングベルト３に固定されかつ、制限された範囲で自由に動く接着装置１ａを結合させる。風力などの力が加わっても、テープ２がスカート４のめくれを抑える。なお、テープ２にたるみがあるのでスカートの自然な動きを抑える事はない。
【実施例２】
【００１１】以下、添付図面に従って実施例２を説明する。スカート４に固定した接着装置１ｂとサドル５など自転車の一部に固定され、かつ、制限された範囲で自由に動く接着装置１ａを結合させる。風力などの力が加わっても、テープ２がスカート４を抑える。
【産業上の利用可能性】
【００１２】スカートの売上が伸びる。
【符号の説明】
【００１３】１ａ  固定され、かつ制限された範囲を自由に移動出来る接着装置
１ｂ  スカートに固定した接着装置
２  テープ
３  リングベルト
４  スカート
５  自転車のサドル
６  固定装置
【図１】
0003179679.tif 000003
【図２】
0003179679.tif 000004
【図３】
0003179679.tif 000005
【図４】
0003179679.tif 000006
(57)【要約】      （修正有）【課題】必要な個所に、好みの量を振りかけることができる粉末調味料容器を提供する。【解決手段】容器１の内蓋２外周部の一部に振りかけ孔部２ａを設け、外蓋３で内蓋２を密封する。【選択図】図１
0003179632.tif 000002
【実用新案登録請求の範囲】
【請求項１】
容器の内蓋外周部の一部に振りかけ孔部を設け、容器を傾けて内蓋上部を指で叩くことで粉末調味料を振りかけられる構造、湿気防止を図るために外蓋で内蓋を密封する構造にしている事を特徴としている粉末調味料容器。
【考案の詳細な説明】
【技術分野】
【０００１】
本考案は、粉末調味料の容器に関するものである。
【背景技術】
【０００２】
粉末調味料を振りかける場合は、上部に振りかけ孔がある蓋構造の調味料容器を手で持ち振りかけている。（特許文献１参照）
振りかけ孔部が蓋全面に及ぶ構造のため、必要な個所に好みの量を振りかけることができない。
【先行技術文献】
【特許文献】
【０００３】
【特許文献１】特開平７−３３００４１号公報
【考案の概要】
【考案が解決しようとする課題】
【０００４】
以上に述べた、従来の粉末調味料容器では、必要な個所以外にも振りかける、大まかな量を振りかけるという問題点がある。
【０００５】
本考案は、従来の問題点を解決するものであり、粉末調味料を料理の必要な個所に好みの量を振りかけることを目的とするものである。
【課題を解決するための手段】
【０００６】
本考案は、上記目的を達成するために調味料容器の内蓋外周部の一部に振りかけ孔部を設ける。このことで、調味料容器を粉末調味料が必要な個所に傾けて、内蓋上部を指で叩くことで好みの量を振りかけられる。及び、湿気防止を図るために外蓋で内蓋を密封する構造にしている。
【考案の効果】
【０００７】
本考案の粉末調味料容器に入っている粉末調味料を、必要な個所に内蓋上部を指で叩きながら好みの量を振りかけることで、おしゃれに風味ある料理に仕上がる。
【０００８】
本考案の粉末調味料容器に入った粉末わさびをわさび抜きすしに振りかけてば、辛味とほのかな香りを味わうおいしく食べことができる。同じようにざるそばのそばに振りかけて、辛味とほのかな香りを味わうおいしい食べ方もできる。このように、粉末からし、カレー粉類のパウダー品を和食、洋食の料理に少し振りかけることで、辛味や香りのついた風味豊かな料理に仕上がる。
【図面の簡単な説明】
【０００９】
【図１】本考案による粉末調味料容器の斜視図である。
【考案を実施するための形態】
【００１０】
以下、本考案の実施形態を図１に基づいて説明する。
【００１１】
図１において、粉末調味料容器は、容器１、内蓋２、外蓋３で構成している。粉末調味料は、容器１を傾け、内蓋２の上部を指で叩くことで振りかけ孔部２ａから料理に振りかけられる。指で叩く強さ、回数の度合いで好みの量を料理に振りかけることができる。また、外蓋３を内蓋２に取付けることで、湿気防止を図れる。料理に必要な粉末調味料を必要な個所に好みの量を振りかける効果が得られるものである。
【符号の説明】
【００１２】
１  容器
２  内蓋
２ａ  振りかけ孔部
３  外蓋
【図１】
0003179632.tif 000003
(57)【要約】      （修正有）【課題】ソーラーパネルで発電した電力をバッテリーに蓄電し、日射の確保できない夜間や曇天時でも、発光体を光量制御や点滅制御を行いつつ発光させることを可能とし、又、ソーラーパネルの電圧値を測定することにより昼・夜の区別と晴天・曇天時の区別ををつけられるようにしたソーラー蓄電式発光体制御装置を提供する。【解決手段】傾斜架台２に設置した、ソーラーパネル１で発電した電力をソーラーチャージコントローラー３でバッテリー４に蓄電し、発光体コントローラー５でコントロールされた、発光体６を点灯する。【選択図】図１
0003179687.tif 000002
【実用新案登録請求の範囲】
【請求項１】
パネル電圧検知機能を備えたソーラー蓄電池式発光体制御装置であって、傾斜架台に設置したソーラーパネルを、ソーラーチャージコントローラーを経由してバッテリーに接続し、さらに、バッテリーを発光体コントローラーを経由して発光体に接続し、ソーラーパネルの出力電圧を検知して、バッテリーへの充電と、バッテリー電力による発光を行うようにしたことを特徴とするソーラー蓄電式発光体制御装置。
【考案の詳細な説明】
【考案の概要】
【考案が解決しようとする課題】
【０００１】ソーラーパネルは日射の確保できない夜間・曇天時には発電を行わず、発光体への電力供給が滞る問題点があった。
照度センサーを使用せずに昼・夜の区別と快晴・曇天時の区別をする必要があった。
ソーラーパネルにより、風雪などの自然状況に左右されず安定した発電を行う必要があった。
発光体の光量や、点滅方式をコントロールする必要があった。
【課題を解決するための手段】
【０００２】傾斜架台に設置したソーラーパネルで発電した電力をソーラーチャージコントローラーでバッテリーに蓄電し、発光体コントローラーを経由し、発光体を発光する。
また、ソーラーチャージコントローラーではソーラーパネルの電圧値を検知することで、昼・夜の区別と快晴・曇天時の区別を可能とした。
【課題の効果】
【０００３】ソーラーパネルを傾斜架台に固定することによって、風雪などの自然状況に左右されずに安定した発電を可能とした。
照度センサーによる照度検知をせずに昼・夜の区別や快晴・曇天時の区別をし、発光体の光量コントロールや点滅発光させる機能を備えた。
バッテリーを使用することにより、日射の確保できない状態であっても、発光体を発光させることを可能とした。
【図面の簡単な説明】
【０００４】
【図１】考案した機器連係を示す図である。
【符号の説明】
【０００５】１．ソーラーパネル
２．傾斜架台
３．ソーラーチャージコントローラー
４．バッテリー
５．発光体コントローラー
６．発光体
【図１】
0003179687.tif 000003
(57)【要約】      （修正有）【課題】自動車のステアリング・ホイール（以下ハンドルと表現）の平面形状は、真円または真円に近い円形であり、ハンドルの断面もまた円形であり、ハンドル操作時に手の平に引っかかり難く、滑り易いという課題を解決した自動車用のハンドルを提供する。【解決手段】ハンドル１を平面から見た外周と内周を、多角形とするとともに、ハンドル１の断面形状を長円形や楕円形とし、指側（第２関節付近）が当る部分を尖らせ、その部分をハンドルの取り付けシャフト側に向くように傾斜させた構造とする。【選択図】図１
0003179689.tif 000002
【実用新案登録請求の範囲】
【請求項１】
平面から見た外周と内周を、多角形とするとともに、ハンドルの断面形状を長円形または楕円形とし、指側（第２関節付近）が当る部分を尖らせ、その部分をハンドルの取り付けシャフト側に向くように傾斜させた、自動車用のハンドル。
【請求項２】
請求項１のハンドルにおいて、自動車を直進させるハンドルの操作位置において、最も下の位置の多角形の辺の長さを、他の辺の長さより１．５〜３．０倍の長さにした、自動車用のハンドル。
【考案の詳細な説明】
【技術分野】
【０００１】  この考案は自動車を運転する際に用いるハンドルの構造に関するものである。
【背景技術】
【０００２】  従来、自動車のステアリング・ホイール（以下ハンドルと表現）の平面形状は、真円または真円に近い円形であり、ハンドルの断面もまた円形である。
ハンドル裏部分（指が当る部分）には波状の突起があるものの、手のひらが接触する部分は単なる円弧で、特に合成樹脂製は手のひらに引っかかり難く、滑り易い形状である。
また経年劣化によりグリップ部分が擦り減り、滑り易さはさらに増し、ハンドル操作上ことさらに神経を使わざるを得ない。
そこで、以下先行技術文献として挙げた実用新案登録第３０８８６２１号では、ハンドル正面から見て、時計の２時、４時、８時、１０時の位置４か所に、突起を設けるとともに、滑り止めの措置を施し、改善を図っている。
【先行技術文献】
【０００３】
【特許文献】
【特許文献】  実用新案登録第３０８８６２１号
【考案の概要】
【考案が解決しようとする課題】
【０００４】  ハンドルを把持する場合、図３で説明すると、一般的に指の裏側（手のひら側）にあたる網掛部分がより多くの接触部分であり、その他の部分には隙間が生じ、掴むという行為には大きく関与していない。
従って従来の円形状のハンドルでは、左右に回転操作する場合に、手のひらは、円形の外形をなぞるような動作になり、滑りやすいという課題がある。
また、先行技術として挙げた実用新案登録第３０８８６２１号の場合では、ハンドルの４か所に設けた突起により、滑り止めの効果はあるが、ハンドルを回転操作するときに手に引っかかり、円滑な操作を妨害し安全運転を阻害する危険性がある。
【課題を解決するための手段】
【０００５】  ハンドルを平面から見た外周と内周を、多角形とするとともに、ハンドルの断面形状を長円形や楕円形とし、指側（第２関節付近）が当る部分を尖らせ、その部分をハンドルの取り付けシャフト側に向くように傾斜させる。
【考案の効果】
【０００６】  ハンドルを平面から見た形状を多角形にする事により、回転させる場合に、把持する手のひらには常に多角形の何処かの角が当る事になり、滑りにくくそして手繰り易い効果がある。
また、ハンドルの断面を長円形または楕円形にし、指側に当る部分を尖らせ、尖った部分をハンドルの取り付けシャフト側に傾斜させる事でハンドルを把持する効果が強くなり、操作時に滑りを防止することが可能になる。
【図面の簡単な説明】
【０００７】
【図１】本考案の第１の実施例によるハンドルの平面図
【図２】本考案のハンドルの断面図
【図３】ハンドルを把持する部分
【図４】本考案の第２の実施例のハンドルの平面図
【考案を実施するための形態】
【０００８】  ハンドルを平面から見た外周と内周を、多角形とするとともに、ハンドルの断面形状を長円形や楕円形とし、指側（第２関節付近）が当る部分を尖らせ、その部分をハンドルの取り付けシャフト側に向くように傾斜させる。
また、自動車を直進させるハンドルの操作位置において、最も下の位置の多角形の辺の長さを、他の辺の長さより１．５〜３．０倍の長さにする。
これにより、運転者は最も下の位置（多角形の長辺部分）を手で探ることにより現在のハンドルの回転状況を、目視することなく安全に確認でき、特にバックで車庫入れをする場合には、前車輪の方向を容易にイメージすることができ、車庫と車体の平行性を保つことができる。
また運転座席とハンドルとの間隔が広がり、自動車への乗り降りが楽にできる効果がある。
【実施例】
【０００９】  図１に、本考案の第一の実施例のハンドルを平面から見た形状を示す。
この場合は、多角形は１６角形であるが、角の数は、１６角に留まらず、５角から３０角などを任意の角数を採用可能である。
図２に、本考案の実施例のハンドルの断面形状を示す。
この場合は、長円形の形状であるが、楕円形なども採用可能である。
図４に、本考案の第二の実施例であり、ハンドルを平面から見た形状を示す。
この場合は、自動車を直進させるハンドルの操作位置において、最も下の位置の多角形の辺の長さを、他の辺の長さより１．５〜３．０倍の長さにしたものである。
【産業上の利用可能性】
【００１０】  この考案は自動車のみならず、小型船舶などを運転する際に用いるハンドル、あるいは流体やガスなどの流量を調整するためのバルブのハンドルなどにも利用が可能である。
【符号の説明】
【００１１】１      ハンドル
２      ハンドルの回転軸
３      ハンドルの断面
４      ハンドルシャフト
５      ハンドル操作を行う手のひら
６      手のひらのハンドルを把持する部分
【図１】
0003179689.tif 000003
【図２】
0003179689.tif 000004
【図３】
0003179689.tif 000005
【図４】
0003179689.tif 000006
(57)【要約】      （修正有）【課題】小型、軽量化で、製作コストも安く、設置・維持が簡易で、川敷等に設置され、水流を利用して水車を回転させることによって発電を行う簡易設置型の水力式発電装置を提供する。【解決手段】河川敷等に設置され、川の流れを利用して水車を回転させて発電を行う簡易設置型水力式発電装置であって、ドラム型の水車７の内部に発泡充填部を有し、外周面に複数枚の水掻き板２が放射状に植設され、水車の車軸に対して直結される動力伝達ワイヤ５を介して連結されるプーリーの回転を介して発電する発電機で、水車の両側軸支部が水嵩の変化に追随して上下動可能に把持する水車取付枠１とを備えている水力式発電装置である。【選択図】図１
0003179682.tif 000002
【実用新案登録請求の範囲】
【請求項１】
水流を利用して水車を回転させて発電を行う簡易設置型水力式発電装置であって、ドラム型の水車内部に発泡充填部を有し、外周面に複数枚の水掻き板が放射状に植設されたドラム型の水車と、該水車の車軸に直結される動力伝達ワイヤと、該ワイヤに連結されプーリーの回転を介して発電する発電機と、前記水車の両側軸支部を水嵩の変化に追随して上下動可能に把持する水車取付枠とを備えていることを特徴とする水力式発電装置。
【請求項２】
上記水車の両側軸支部に水漏えい防止板を取付けたことを特徴とする請求項１に記載の水力式発電装置。
【考案の詳細な説明】
【技術分野】
【０００１】  本考案は、川敷等に設置し、水流を利用し、水車の回転によって発電を行う簡易設置型の水力式発電装置に関するものである。
【背景技術】
【０００２】  電力消費が、年々増大し、二酸化炭素の増加による地球温暖化や、原子力発電の安全性が見直され、地球に優しい水力、風力、太陽熱等といった自然エネルギーを利用した発電の必要性が再確認されている。【０００３】  しかし発電装置の多くは一般に事業用であり、個人や小規模団体には高額で、設置スペースの確保も難しく、自家発電設備の普及はほとんど進んでいないのが現状であり、発電装置の小型、軽量化、コスト低減、設置・維持管理の簡易化を図って、個人や自治体等の利用等を推進し、簡易設置型の水力式発電装置の普及を図る上において今後重要になってくる。【０００４】
【先行技術文献】
【特許文献】
【０００５】
【特許文献１】特開２００７−４０２１７号公開公報
【０００６】
【考案の開示】
【考案が解決しようとする課題】
【０００７】  本考案は、小型、軽量化で、製作コストも安く、設置・維持・管理が簡易で、川敷等に設置し、水流を利用して水車を回転させることによって発電を行う簡易設置型の水力式発電装置の提供を図ることを目的とする。【０００８】
【課題を解決するための手段】
【０００９】  本考案は、上記目的を達成するため、河川敷等に設置して、水流を利用して水車を回転させることによって発電を行う簡易設置型水力式発電装置であって、ドラム型の水車内部に発泡充填部を有し、外周面に複数枚の水掻き板が放射状に植設されたドラム型の水車とし、水車の車軸に直結される動力伝達ワイヤに連結されプーリーの回転を介して発電する発電機を有し、水車の両側軸支部を水嵩の変化に追随し上下動可能に把持する水車取付枠とを備えた水力式発電装置で、更に、水車の両側軸支部に水漏えい防止板を取付けて、水量を有効に活用できるようにした。
【考案の効果】
【００１０】  本考案の水力式発電装置によれば、ドラム型の水車は発泡充填部によって常時水面に浮かんだ状態で回転するため、河川の水位（水嵩）の増減に影響されることなく安定した発電量を確保できる。また水車の両側軸支部が水嵩の変化に追随して上下動可能に把持するスライド溝付の水車取付枠によって揺動自在に支持する構造としたので、発泡充填部の浮力によって河川の水嵩に応じて水車は上下動することが可能となった。加えて、水車の車軸に直結される動力伝達ワイヤに連結されるプーリーを介して発電機を水車に直結する構造を採用しているためチェーンやベルト等の駆動伝達手段を使用した場合に比べて駆動力のロスを減少させることができた。作業中の安全性および作業能率の効上が図れた。更に、水車の両側軸支部に水漏えい防止板を取付けて、水量を有効に活用できるようにした。
【図面の簡単な説明】
【００１１】
【図１】  水力式発電装置を示す斜視図。
【図２】  水車を水車取付枠に装着した様子を示す側面図
【図３】  水車に水掻き板が放射状に植設された様子を示す断面図である。
【考案を実施するための最良の形態】
【００１２】  以下、本考案の実施形態を図１〜３に基づいて説明する。【００１３】
【実施例】
【００１４】本実施例は、図面に図示するように河川敷にドラム型水車７を設置して、水流を利用し、外周面に複数枚の水掻き板２が放射状に植設されたドラム型水車７を回転させ、ドラム型水車７の車軸に直結される動力伝達ワイヤ３に連結されプーリー１１の回転を介して発電を行う簡易設置型水力式の発電機６において、ドラム型水車７の内部に、ウレタンホーム等の発泡充填部８を設けると共に、ドラム型水車の両側軸支部９を水嵩の変化に追随し上下動可能に把持するスライド溝４付の水車取付枠１（水車取付枠用緊張ワイヤー３で上部を緊張）とを備えた水力式発電装置とした。【００１５】更に、水車の両側軸支部９に水漏えい防止板１０を取付けて、水量を有効に活用できるようにした。
【産業上の利用可能性】
【００１６】  本考案は、河川のみならず、干満の差が大きい海などにも利用可能である。
【符号の説明】
【００１７】  １  水車取付枠
２  水掻き板
３  水車取付枠用緊張ワイヤー
４  スライド溝
５  動力伝達ワイヤ
６  発電機
７  ドラム型水車
８  発泡充填部
９  ドラム型水車の両側軸支部
１０  水漏えい防止板
１１  プーリー
【図１】
0003179682.tif 000003
【図２】
0003179682.tif 000004
【図３】
0003179682.tif 000005